【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
以下：
（ｉ）式Ｉ
【化１】
2013504673.tif 000001
［式中、
Ｒ1は、Ｃ1〜Ｃ30アルキルであるか、又は、１以上の不連続のＯ原子により中断されているＣ2〜Ｃ30アルキルであるか、又は、Ｒ1は、Ｃ5〜Ｃ7シクロアルキルであるか、又は、直鎖又は分枝鎖Ｃ1〜Ｃ20アルキルにより置換されているＣ5〜Ｃ7シクロアルキルであり；
【化２】
2013504673.tif 000002
Ｒ2、Ｒ3、Ｒ4、Ｒ5、Ｒ6、Ｒ7、Ｒ8、Ｒ9、Ｒ10、Ｒ11、Ｒ12及びＲ13は相互に独立して、水素、ハロゲン、非置換直鎖又は分枝鎖Ｃ1〜Ｃ20アルキル、１以上の不連続のＯ原子により中断されている非置換直鎖又は分枝鎖Ｃ2〜Ｃ20アルキルであるか、
又は、Ｒ2、Ｒ3、Ｒ4、Ｒ5、Ｒ6、Ｒ7、Ｒ8、Ｒ9、Ｒ10、Ｒ11、Ｒ12及びＲ13は相互に独立して、
ハロゲン、Ｃ1〜Ｃ20アルカノイル、Ｃ2〜Ｃ20アルカノイルオキシ、Ｃ7〜Ｃ15アロイル、Ｃ6〜Ｃ14アロイルオキシ、Ｃ1〜Ｃ20アルコキシカルボニル、ニトリル、ニトロ、Ｃ1〜Ｃ20アルキルチオ、Ｃ6〜Ｃ14アリールチオ、ＮＲ17Ｒ18、非置換Ｃ6〜Ｃ14アリールにより置換されている直鎖又は分枝鎖Ｃ1〜Ｃ20アルキルであるか、又は、
ハロゲン、Ｃ1〜Ｃ20アルキル、Ｃ1〜Ｃ20アルコキシ、フェニル、Ｃ1〜Ｃ20アルカノイル、Ｃ2〜Ｃ20アルカノイルオキシ、Ｃ1〜Ｃ20アルコキシカルボニル、ベンゾイル、ベンゾイルオキシ、ニトリル、ニトロ、Ｃ1〜Ｃ20アルキルチオ、Ｃ6〜Ｃ14アリールチオ又はＮＲ17Ｒ18により置換されているＣ6〜Ｃ14アリールにより置換されている直鎖又は分枝鎖Ｃ1〜Ｃ20アルキルであるか、
又は、Ｒ2及びＲ3及び／又はＲ5及びＲ6及び／又はＲ8及びＲ9及び／又はＲ11及びＲ12は、該基が結合しているＣ原子と一緒になって５員〜７員の飽和環を形成しているか、
又は、Ｒ2、Ｒ3、Ｒ4、Ｒ5、Ｒ6、Ｒ7、Ｒ8、Ｒ9、Ｒ10、Ｒ11、Ｒ12及びＲ13は相互に独立して、非置換Ｃ6〜Ｃ14アリールであるか、又は、ハロゲン、Ｃ1〜Ｃ20アルキル、Ｃ1〜Ｃ20アルコキシ、フェニル、Ｃ1〜Ｃ20アルカノイル、Ｃ2〜Ｃ20アカノイルオキシ、ベンゾイル、ベンゾイルオキシ、ニトリル、ニトロ、Ｃ1〜Ｃ20アルキルチオ、Ｃ6〜Ｃ14アリールチオ又はＮＲ17Ｒ18により置換されているＣ6〜Ｃ14アリールであるが、但し、Ｒ2、Ｒ3、Ｒ4のうちの１以下は水素であり、かつＲ5、Ｒ6、Ｒ7のうちの１以下は水素であり、かつＲ8、Ｒ9、Ｒ10のうちの１以下は水素であり、かつＲ11、Ｒ12、Ｒ13のうちの１以下は水素であるものとし；
Ｒ14、Ｒ15及びＲ16は相互に独立して、水素、ハロゲン、直鎖又は分枝鎖Ｃ1〜Ｃ20アルキル、Ｃ1〜Ｃ20アルコキシ、Ｃ6〜Ｃ14アリール、Ｃ1〜Ｃ20アルカノイル、Ｃ1〜Ｃ20アカノイルオキシ、Ｃ1〜Ｃ20アルコキシカルボニル、Ｃ7〜Ｃ15アロイル、Ｃ7〜Ｃ15アロイルオキシ、ニトリル、ニトロ、Ｃ1〜Ｃ20アルキルチオ、Ｃ6〜Ｃ14アリールチオ又はＮＲ17Ｒ18であるか、
又は、Ｒ14及びＲ15は、該基が結合しているフェニル環と一緒になって、非置換であるか又はＣ1〜Ｃ4アルキルにより置換されているチオキサンチルを形成しており；
Ｒ17及びＲ18は相互に独立して、水素、直鎖又は分枝鎖Ｃ1〜Ｃ20アルキル、ベンジル、Ｃ7〜Ｃ15アロイル、Ｃ1〜Ｃ20アルカノイル、非置換フェニルであるか、又は、１以上のＣ1〜Ｃ6アルキル、Ｃ1〜Ｃ6アルコキシにより置換されているフェニルであるか、又は、ハロゲンにより置換されているフェニルであるか、又は、Ｒ17及びＲ18は、該基が結合しているＮ原子と一緒になって５員又は６員の飽和又は不飽和環を形成しており、該環は場合により該Ｎ原子に加えてさらなるＮ原子又はＯ原子を含んでおり、かつ該環には場合により１又は２のベンゾ基が縮合している］
の少なくとも１の化合物；及び
（ｉｉ）式ＩＩａ、ＩＩｂ又はＩＩｃ
【化３】
2013504673.tif 000003
［式中、
【化４】
2013504673.tif 000004
Ｒ’2、Ｒ’3、Ｒ’4、Ｒ’5、Ｒ’6及びＲ’7は相互に独立して、Ｒ2、Ｒ3、Ｒ4、Ｒ5、Ｒ6、Ｒ7、Ｒ8、Ｒ9、Ｒ10、Ｒ11、Ｒ12及びＲ13について与えられた通りの意味のうちの１つを有し；かつ
Ｒ’14、Ｒ’15及びＲ’16は相互に独立して、Ｒ14、Ｒ15及びＲ16について与えられた通りの意味のうちの１つを有する］
の少なくとも１のキレートリガンド化合物
を含むＴｉキレート触媒配合物。
【請求項２】
以下：
（ｉ）請求項１に定義された通りの式Ｉの少なくとも１の化合物  ５０〜９９質量％、
及び
（ｉｉ）請求項１に定義された通りの式ＩＩａ、ＩＩｂ又はＩＩｃの少なくとも１のキレートリガンド化合物  １〜５０質量％
を含む、請求項１に記載のＴｉキレート触媒配合物。
【請求項３】
式Ｉにおいて、
Ｒ2、Ｒ3、Ｒ4、Ｒ5、Ｒ6、Ｒ7、Ｒ8、Ｒ9、Ｒ10、Ｒ11、Ｒ12及びＲ13が相互に独立して、非置換直鎖又は分枝鎖Ｃ1〜Ｃ12アルキルであるか、
又は、ハロゲン、Ｃ1〜Ｃ12アルカノイル、Ｃ2〜Ｃ12アルカノイルオキシ、ベンゾイル、ベンゾイルオキシ、Ｃ1〜Ｃ12アルコキシカルボニル、ニトリル、ニトロ、Ｃ1〜Ｃ12アルキルチオ、フェニルチオ又はＮＲ17Ｒ18、フェニルにより置換されているＣ1〜Ｃ12アルキルであるか、
又は、ハロゲン、Ｃ1〜Ｃ12アルキル、Ｃ1〜Ｃ12アルコキシ、フェニル、Ｃ1〜Ｃ12アルカノイル、Ｃ2〜Ｃ12アルカノイルオキシ、Ｃ1〜Ｃ12アルコキシカルボニル、ベンゾイル、ベンゾイルオキシ、ニトリル、ニトロ、Ｃ1〜Ｃ12アルキルチオ、フェニルチオ又はＮＲ17Ｒ18により置換されているフェニルにより置換されているＣ1〜Ｃ12アルキルであるか；
又は、Ｒ2及びＲ3及び／又はＲ5及びＲ6及び／又はＲ8及びＲ9及び／又はＲ11及びＲ12が、該基が結合しているＣ原子と一緒になって５員〜７員の飽和環を形成しており；かつ、
Ｒ14、Ｒ15及びＲ16が相互に独立して、水素、ハロゲン、Ｃ1〜Ｃ20アルキル、Ｃ1〜Ｃ20アルコキシ、Ｃ6〜Ｃ14アリール、Ｃ1〜Ｃ20アルカノイル、Ｃ1〜Ｃ20アルカノイルオキシ、Ｃ7〜Ｃ15アロイル、Ｃ7〜Ｃ15アロイルオキシ、Ｃ1〜Ｃ20アルコキシカルボニル、ニトリル、ニトロ、Ｃ1〜Ｃ20アルキルチオ、Ｃ6〜Ｃ14アリールチオ又はＮＲ17Ｒ18であるか、
又は、Ｒ14及びＲ15が、該基が結合しているフェニル環と一緒になって、非置換であるか又はＣ1〜Ｃ4アルキルにより置換されているチオキサンチルを形成しており；
かつ、式ＩＩａ、ＩＩｂ又はＩＩｃにおいて、
Ｒ’2、Ｒ’3、Ｒ’4、Ｒ’5、Ｒ’6及びＲ’7が相互に独立して、
水素、ハロゲン、非置換直鎖又は分枝鎖Ｃ1〜Ｃ12アルキル、
ハロゲン、Ｃ1〜Ｃ12アルカノイル、Ｃ2〜Ｃ12アルカノイルオキシ、ベンゾイル、ベンゾイルオキシ、Ｃ1〜Ｃ12アルコキシカルボニル、ニトリル、ニトロ、Ｃ1〜Ｃ12アルキルチオ、フェニルチオ、ＮＲ17Ｒ18、フェニルにより置換されている直鎖又は分枝鎖Ｃ1〜Ｃ20アルキル、
又は、ハロゲン、Ｃ1〜Ｃ12アルキル、Ｃ1〜Ｃ12アルコキシ、フェニル、Ｃ1〜Ｃ12アルカノイル、Ｃ2〜Ｃ12アルカノイルオキシ、Ｃ1〜Ｃ12アルコキシカルボニル、ベンゾイル、ベンゾイルオキシ、ニトリル、ニトロ、Ｃ1〜Ｃ12アルキルチオ、フェニルチオ又はＮＲ17Ｒ18により置換されているフェニルにより置換されている直鎖又は分枝鎖Ｃ1〜Ｃ20アルキルであるか；
又は、Ｒ’2及びＲ’3及び／又はＲ’5及びＲ’6が、該基が結合しているＣ原子と一緒になって、５員〜７員の飽和環を形成しており；かつ、
Ｒ’14、Ｒ’15及びＲ’16が相互に独立して、水素、ハロゲン、Ｃ1〜Ｃ12アルキル、Ｃ1〜Ｃ12アルコキシ、フェニル、Ｃ1〜Ｃ12アルカノイル、Ｃ1〜Ｃ12アルカノイルオキシ、ベンゾイル、ベンゾイルオキシ、Ｃ1〜Ｃ12アルコキシカルボニル、ニトリル、ニトロ、Ｃ1〜Ｃ12アルキルチオ、フェニル又はＮＲ17Ｒ18である、
請求項１に記載のＴｉキレート触媒配合物。
【請求項４】
Ｒ1が、Ｃ1〜Ｃ8アルキルであるか、又は、１〜６個の不連続のＯ原子により中断されているＣ2〜Ｃ12アルキルであり；
Ｒ2、Ｒ3、Ｒ4、Ｒ5、Ｒ6、Ｒ7、Ｒ8、Ｒ9、Ｒ10、Ｒ11、Ｒ12及びＲ13が、相互に独立して、水素、ハロゲン又はＣ1〜Ｃ4アルキルであるが、但し、Ｒ2、Ｒ3、Ｒ4のうち１つだけは水素であり、かつＲ5、Ｒ6、Ｒ7のうち１つだけは水素であり、かつＲ8、Ｒ9、Ｒ10のうち１つだけは水素であり、かつＲ11、Ｒ12、Ｒ13のうち１つだけは水素であるか；
又は、Ｒ5及びＲ6及び／又はＲ8及びＲ9が、該基が結合しているＣ原子と一緒になって５員又は６員の飽和環を形成しており、
Ｒ14、Ｒ15及びＲ16が相互に独立して水素、Ｃ1〜Ｃ4アルキル、Ｃ1〜Ｃ4アルコキシ、ベンゾイル、ニトロ又はＮＲ17Ｒ18であるか；
又は、Ｒ14及びＲ15が、該基が結合しているフェニル環と一緒になって、非置換であるか又はＣ1〜Ｃ4アルキルにより置換されているチオキサンチルを形成しており；
Ｒ17及びＲ18がＣ1〜Ｃ4アルキルであり；
Ｒ’2、Ｒ’3、Ｒ’4、Ｒ’5、Ｒ’6及びＲ’7が相互に独立して、水素、ハロゲン、直鎖又は分枝鎖Ｃ1〜Ｃ4アルキルであるか；又は、Ｒ5及びＲ6が、該基が結合しているＣ原子と一緒になって、５員又は６員の飽和環を形成しており；かつ、
Ｒ’14、Ｒ’15及びＲ’16が相互に独立して、Ｒ14、Ｒ15及びＲ16について与えられた通りの意味のうちの１つを有する、
請求項１に記載のＴｉキレート触媒配合物。
【請求項５】
式Ｉにおいて、
Ｒ2、Ｒ3、Ｒ4、Ｒ5、Ｒ6、Ｒ7、Ｒ8、Ｒ9、Ｒ10、Ｒ11、Ｒ12及びＲ13が相互に独立して非置換Ｃ1〜Ｃ20アルキルであり；かつＲ14、Ｒ15及びＲ16が水素であり；
かつ、式ＩＩａ、ＩＩｂ又はＩＩｃにおいて、
Ｒ’2、Ｒ’3、Ｒ’4、Ｒ’5、Ｒ’6及びＲ’7が相互に独立して、水素、Ｆ、Ｃ1〜Ｃ20アルキルであり；かつＲ’14、Ｒ’15及びＲ’16が水素である、
請求項１に記載のＴｉキレート触媒配合物。
【請求項６】
ルイス酸型反応物により触媒される重付加又は重縮合反応のための触媒としての、請求項１から５までのいずれか１項に定義された通りのＴｉキレート触媒配合物、又は請求項１に定義された式（Ｉ）の化合物の使用。
【請求項７】
以下
（ａ）少なくとも１のブロックされているか又はブロックされていないイソシアナート又はイソチオシアナート成分、
（ｂ）少なくとも１のポリオール；及び
（ｃ）請求項１に定義された通りの少なくとも１のＴｉキレート触媒配合物、又は請求項１に定義された式（Ｉ）の化合物少なくとも１種、
を含む、重合性組成物。
【請求項８】
成分（ａ）、（ｂ）及び（ｃ）に加えてさらなる添加剤（ｄ）を含む、請求項７記載の重合性組成物。
【請求項９】
請求項１に定義された通りの配合物中の式ＩのＴｉキレート触媒化合物を、全組成物に対して０．００１〜１５質量％含む、請求項７記載の重合性組成物。
【請求項１０】
ルイス酸の存在で架橋可能な化合物の重合法において、請求項１から５までのいずれか１項に定義された通りのＴｉキレート触媒配合物又は請求項１に定義された式（Ｉ）の化合物を前記化合物に添加し、生じた混合物に２００〜８００ｎｍの波長範囲の電磁放射線を照射することを特徴とする方法。
【請求項１１】
ルイス酸の存在で架橋可能な成分が、（ａ）ブロックされているか又はブロックされていないイソシアナート又はイソチオシアナート成分と（ｂ）ポリオールとの混合物である、請求項１０記載の方法。
【請求項１２】
電磁放射線を照射する代わりに混合物に熱処理を施すか、又は、混合物に電磁放射線を照射し、該照射と同時にか又は該照射後に熱処理を施す、請求項１０記載の方法。
【請求項１３】
接着剤、シール材、塗料、注封部品、印刷インキ、印刷版、発泡体、成形材料又は光構造層を製造するための、請求項１０記載の方法。
【請求項１４】
以下
【化５】
2013504673.tif 000005
からなる群から選択された、請求項１に定義された通りの式ＩのＴｉキレート触媒。
【請求項１５】
式（Ｉａ）、（Ｉｂ）、（Ｉｃ）又は（Ｉｄ）
【化６】
2013504673.tif 000006
［式中、
Ｒ1は１以上の不連続のＯ原子により中断されているＣ2〜Ｃ30アルキルであるか、又は、Ｒ1はＣ5〜Ｃ7シクロアルキルであるか、又は、直鎖又は分枝鎖Ｃ1〜Ｃ20アルキルにより置換されているＣ5〜Ｃ7シクロアルキルであり；
Ｒ’’2は相互に独立して、水素、非置換Ｃ1〜Ｃ18アルキル、
ハロゲン、Ｃ1〜Ｃ20アルカノイル、Ｃ2〜Ｃ20アルカノイルオキシ、Ｃ7〜Ｃ15アロイル、Ｃ6〜Ｃ14アロイルオキシ、Ｃ1〜Ｃ20アルコキシカルボニル、ニトリル、ニトロ、Ｃ1〜Ｃ20アルキルチオ、Ｃ6〜Ｃ14アリールチオ、ＮＲ17Ｒ18、Ｃ6〜Ｃ14アリールにより置換されているＣ1〜Ｃ18アルキル、
又は、ハロゲン、Ｃ1〜Ｃ20アルキル、Ｃ1〜Ｃ20アルコキシ、フェニル、Ｃ1〜Ｃ20アルカノイル、Ｃ2〜Ｃ20アルカノイルオキシ、ベンゾイル、ベンゾイルオキシ、ニトリル、ニトロ、Ｃ1〜Ｃ20アルキルチオ、Ｃ6〜Ｃ14アリールチオ又はＮＲ17Ｒ18により置換されているＣ6〜Ｃ14アリールにより置換されているＣ1〜Ｃ18アルキルであり；
Ｒ14、Ｒ15、Ｒ16、Ｒ17及びＲ18は、請求項１に定義された通りである］
のＴｉキレート触媒。
【請求項１６】
接着剤、塗料、シール材、注封部品、印刷インキ、印刷版、発泡体、成形材料又は光構造層を製造するための、請求項７から９までのいずれか１項記載の重合性組成物の使用。
【請求項１７】
少なくとも１の表面が請求項７から９までのいずれか１項記載の組成物で塗装されている、塗装された基材。
【請求項１８】
重合又は架橋した、請求項７から９までのいずれか１項記載の組成物。